(57)【特許請求の範囲】
【請求項１】
吊りボルトあるいはその他のボルトに螺合するナットを回転させるためのナット回転具であって、
回転駆動手段と、
その回転駆動手段によって回転して、前記ナットを回転させるようにそのナットに当接可能な、回転体と、
前記ボルトの、ねじが切られた軸の周面に当接して、前記回転体が前記ナットに当接するように案内する、案内部とを備え、
前記案内部は、前記回転体の軸心と直交する方向に開口し、その開口から前記ボルトを前記案内部に入れるようにして前記案内部を前記ボルトの前記周面に当接させることで、前記回転体は、前記ナットに当接するように案内されることを特徴とするナット回転具。
【請求項２】
前記案内部は、凹部からなることを特徴とする請求項１に記載のナット回転具。
【請求項３】
前記案内部は、前記回転体を挟む両側に配備されることを特徴とする請求項１または２に記載のナット回転具。
【請求項４】
前記回転体は、前記ナットを回転させるように、そのナットの外周面に当接することを特徴とする請求項１ないし３のいずれか１項に記載のナット回転具。
【請求項５】
前記回転体は、
軸部と、
その軸部から外方に延出するとともに前記ナットの外周面に当接する、羽根部とからなり、
前記羽根部は、弾性を有して湾曲可能となっていることを特徴とする請求項４に記載のナット回転具。
【請求項６】
前記羽根部は、前記ナットの外周面に当接する先端側が、前記回転体の回転方向とは反対方向に傾斜するように延出していることを特徴とする請求項５に記載のナット回転具。
【発明の詳細な説明】
【０００１】
【発明の属する技術分野】
この発明は、吊りボルトあるいはその他のボルトに螺合するナットを回転させるための、ナット回転具に関するものである。
【０００２】
【従来の技術】
従来、建物の天井にケーブルを配設するため、建物の天井に吊り下げられた吊りボルトに、前記ケーブルを支持するための器具が取り付けられた。この器具は、吊りボルトに螺合するナットを利用して、吊りボルトに取り付けられていたが、ナットを前記器具が取り付けられる所定の位置まで移動させる必要があった。ところが、従来においては、そのナットを手で回転させて移動させていたので、手間がかかり能率が悪かった。そこで、例えば、図１４に示すような、ナット回転具２０が使用されることがあった。このナット回転具２０は、電動ドリル２１の先端側に、回転体としての筒体２２を取り付けたものであって、回転する筒体２２をナット２３の外周面２３ａに押圧することにより前記ナット２３を回転させていた。そして、この回転に伴って吊りボルト２４に沿って移動するナット２３に追従させるように、前記筒体２２、すなわち、ナット回転具２０を、吊りボルト２４に沿って移動させていた。
【０００３】
【発明が解決しようとする課題】
しかし、前記従来のナット回転具においては、回転する筒体がナットから外れないように、ナット回転具を注意して支えなければならなかった。また、回転する筒体に押圧されて吊りボルトに沿って移動するナットに追従させるように、前記筒体、すなわち、ナット回転具を移動させる作業は、非常に注意力を有した。
【０００４】
この発明は、上記した従来の問題点を解決するためになされたものであり、その目的は、吊りボルトあるいはその他のボルトに螺合するナットを確実に回転させることができる、ナット回転具を提供することにある。
【０００５】
また、この発明の他の目的は、吊りボルトあるいはその他のボルトに沿って移動するナットに、そのナットを回転させる回転体を容易に追従させて、前記ナットを確実に移動させることができる、ナット回転具を提供することにある。
【０００６】
【課題を解決するための手段】
この発明に係るナット回転具は、前記目的を達成するために、次の構成からなる。すなわち、
請求項１に記載の発明に係るナット回転具は、吊りボルトあるいはその他のボルトに螺合するナットを回転させるためのナット回転具である。そして、このナット回転具は、回転駆動手段と、その回転駆動手段によって回転して、前記ナットを回転させるようにそのナットに当接可能な、回転体と、前記ボルトの、ねじが切られた軸の周面に当接して、前記回転体が前記ナットに当接するように案内する、案内部とを備える。ここで、前記案内部は、前記回転体の軸心と直交する方向に開口し、その開口から前記ボルトを前記案内部に入れるようにして前記案内部を前記ボルトの前記周面に当接させることで、前記回転体は、前記ナットに当接するように案内される。これによれば、案内部を、吊りボルトあるいはその他のボルトの前記周面に当接させることで、回転体は、前記ボルトに螺合するナットに当接するように案内される。そして、ナットに当接するとともに回転駆動手段によって回転する回転体の回転を受けて、前記ナットが回転する。そして、このナットの回転により、ナットは、このナットが螺合するボルトに沿って移動する。このとき、このナット回転具の案内部を、ボルトの前記周面に当接させながら、ナット回転具を、前記ナットが前記ボルトに沿って移動する方向に動かすことにより、前記ボルトに沿って移動するナットに、前記回転体を追従させることができる。
【０００７】
また、請求項２に記載の発明に係るナット回転具のように、前記案内部は、凹部からなるのが望ましい。これにより、凹部がボルトの前記周面に当接することにより、ナット回転具のがたつきが抑えられるので、回転体がナットから外れにくくなる。そして、凹部を前記ボルトの前記周面に当接させた状態で、ナット回転具を、前記ナットが前記ボルトに沿って移動する方向に動かしても、凹部がボルトの前記周面に当接して、ナット回転具の、移動させる際のがたつきが抑えられる。
【０００８】
また、請求項３に記載の発明に係るナット回転具のように、前記案内部は、前記回転体を挟む両側に配備されるのが望ましい。これにより、回転体を挟む両側で案内部が前記ボルトの前記周面に当接することにより、前記回転体を前記ナットに確実に当接させることができる。そして、ナット回転具を、前記ナットが前記ボルトに沿って移動する方向に動かす際に、前記回転体の両側で、案内部が前記ボルトの前記周面に当接するので、ナット回転具を、前記ナットが前記ボルトに沿って移動する方向に、容易に動かすことができる。
【０００９】
また、請求項４に記載の発明に係るナット回転具のように、前記回転体は、前記ナットを回転させるように、そのナットの外周面に当接するのが望ましい。こうして、回転体が、ナットの外周面に当接することで、この回転体は、ナットの、ボルトに沿う移動を妨げることがない。
【００１０】
また、請求項５に記載の発明に係るナット回転具のように、前記回転体は、軸部と、その軸部から外方に延出するとともに前記ナットの外周面に当接する、羽根部とからなり、前記羽根部は、弾性を有して湾曲可能となっているのが望ましい。こうして、羽根部は、弾性を有して湾曲可能となっているので、ナットの外周面に確実に当接し、そのナットを回転させる。
【００１１】
また、請求項６に記載の発明に係るナット回転具のように、前記羽根部は、前記ナットの外周面に当接する先端側が、前記回転体の回転方向とは反対方向に傾斜するように延出しているのが望ましい。これにより、前記羽根部の先端側がナットの外周面に当接しても、その羽根部の先端側は、前記回転体の回転方向とは反対方向、つまり、ナットの外周面に当接して傾く方向に傾斜するように延出しているので、その羽根部の先端側とナットの外周面とが当接する際の抵抗が小さくなる。
【００１２】
【発明の実施の形態】
以下、この発明に係るナット回転具の実施の形態を図面に基づいて説明する。
【００１３】
図１ないし図６は、本発明に係るナット回転具の第一の実施の形態を示す。図中符号１は、例えば、二重天井における上側の天井Ｔに吊り下げられた、ボルトとしての吊りボルトであって、その天井Ｔに配設するケーブルを支持するための器具（図示なし）を取り付けるためのものである。２は、吊りボルト１に螺合する六角ナット等のナットであって、３は、このナット２を回転させるためのナット回転具である。
【００１４】
ナット回転具３は、図１および図３に示すように、本体４と、この本体４に着脱可能に取り付けられる蓋５と、回転駆動手段６と、この回転駆動手段６によって回転して、前記ナット２を回転させるようにそのナット２の外周面２ａに当接可能な、回転体７と、前記吊りボルト１の周面１ａに当接して、前記回転体７が前記ナット２の外周面２ａに当接するように案内する、第一の案内部８および第二の案内部９とを備える。
【００１５】
本体４は、例えば、正面視において、台形状の中空状体からなり、向かって左側が把持部Ｇとなっており、本体４の下部中央付近に明けられた指入れ部Ｇ１に、指を入れるようにして、その把持部Ｇを握ることにより、本体４を容易に持つことができるようになっている。この把持部Ｇの内部は、後述する回転駆動手段６の乾電池Ｋ、Ｋを収納する、乾電池収納空間１０となっており、この乾電池収納空間１０の上方には、前記乾電池Ｋ、Ｋを出し入れるための第一の開口１０ａが形成されている。また、本体４の向かって右側の内部は、前記回転体７を収納する回転体収納空間１１となっている。この回転体収納空間１１の上方には、回転体７を出し入れするための第二の開口１１ａが形成され、右側方には、前記第二の開口１１ａと連続する第三の開口１１ｂが形成されており、この第三の開口１１ｂの高さ方向の寸法Ｈは、回転体収納空間１１の高さ方向の寸法と同じ寸法である。そして、本体４の上部正面には、後述するスイッチ操作部６ｂが取り付けられており、また、本体４の上部中央には、蓋５を着脱可能に取り付けるための雄ネジ１２に螺合するナット１２ａが埋設されている。
【００１６】
蓋５は、前記本体４の乾電池収納空間１０および回転体収納空間１１の開口１０ａ、１１ａを塞ぐものであって、その下方から上方に向かって延びるように形成された差し込み孔５ａを備えており、この差し込み孔５ａには、後述する回転体取付棒１３の先端部１３ａが差し込まれるようになっている。そして、この蓋５は、本体４のナット１２ａにねじ込まれる雄ネジ１２を介して、その本体４に着脱可能に取り付けられている。
【００１７】
回転駆動手段６は、モーター６ａと、このモーター６ａの回転方向、つまりは、回転体７の回転方向を正回転（右回り）操作または逆回転（左回り）操作、あるいは、回転停止操作を行うためのスイッチ操作部６ｂと、このモーター６ａの電源としての、例えば、二個のアルカリ電池からなる乾電池Ｋ、Ｋとを備えている。モーター６ａは、その軸６ｃが、前記本体４の回転体収納空間１１に下方から突き出るようにして配備されており、その軸６ｃには、回転体７を取り付けるための回転体取付棒１３が固定されている。この回転体取付棒１３は、その先端部１３ａのみが径小の円柱状に形成され、他は径大の多角形状、例えば、六角形状に形成されている。そして、この回転体取付棒１３は、その先端部１３ａが、前記蓋５の差し込み穴５ａに差し込まれて、前記モーター６ａおよび前記蓋体５によって回転可能に支持されている。また、乾電池Ｋ、Ｋは、前記本体４の乾電池収納空間１０に直列接続されるようにして収納されており、これら電池Ｋ、Ｋは、前記蓋５を本体４から取り外すことにより取り換え交換することができるようになっている。なお、図示実施の形態においては、前記本体４の背面には、電源ケーブル（図示なし）を接続するためのケーブル接続部６ｄが配備されているので、そのケーブル接続部６ｄに電源ケーブルを接続することにより、モーター６ａの電源を外部電源にすることができるようになっている。
【００１８】
回転体７は、ゴム製で弾性を有しており、円筒状の軸部７ａと、この軸部７ａから、前記回転体７の正回転方向とは反対方向に傾斜するように外方に延出するとともに前記ナット２の外周面２ａに当接する、板状の複数枚（図示実施の形態においては、９枚）の羽根部７ｂ、７ｂとからなる（図５および図６参照）。これら羽根部７ｂ、７ｂは、高さ方向の寸法Ｈ１が、第三の開口１１ｂの高さ方向の寸法Ｈよりもやや短い寸法で形成されており、各々が弾性を有して湾曲可能になっている。また、これら羽根部７ｂ、７ｂは、各羽根部７ｂ、７ｂの先端側が前記ナット２の外周面２ａに当接するようになっているので、これら羽根部７ｂ、７ｂの先端側のみが前記回転体７の正回転方向とは反対方向に傾斜するように外方に延出していてもよい。また、軸部７ａは、その軸方向に貫通する貫通孔７ｃが、回転体取付棒１３を差し込むことができるように、上部を除く下方部分が、前記回転体取付棒１３の形状に対応するような断面が多角形状、例えば、断面六角形状に形成されている（したがって、図示実施の形態においては、回転体７の軸部７ａを回転体取付棒１３に差し込んでも、回転体取付棒１３の先端部１３ａを除く部分の断面が六角形状になっていることから、回転体７は、回転体取付棒１３の回転を確実に受けて回転できるようになっている）。そして、この回転体７は、回転体取付棒１３に取り付けられることで、前記本体４の回転体収納空間１１に回転可能に収納されている。そして、この回転体収納空間１１に収納された回転体７は、前記第三の開口１１ｂを通して、外部に露出している（図２および図６参照）。なお、回転体７も、前記蓋５を本体４から取り外すことにより取り換え交換ができるようになっている。
【００１９】
第一の案内部８は、本体４の第三の開口１１ｂの真下で、右側方に向かって突設された第一板部８ａを、右側から半楕円状に窪むようにして形成された凹部からなる。また、第二の案内部９は、蓋５の右側方に向かって突設された第二板部９ａと、蓋５の右側部５ｂとを、右側から半楕円状に窪むようにして形成された、上下に延びる凹部（図示実施の形態においては、上下に延びる溝になっている）からなり、かつ、第一の案内部８の真上に位置する。すなわち、第一の案内部８と第二の案内部９は、上下に並ぶように配備されるとともに、回転体７を挟む両側に配備されることになる。また、第一および第二の案内部８、９は、平面視半楕円状の凹部からなるので、これら凹部からなる第一および第二の案内部８、９は、第一および第二の案内部８、９を前記吊りボルト１の周面１ａに当接させると、前記回転体７の羽部部７ｂ、７ｂの先端側を前記ナット２の外周面２ａに当接するように案内するようになっており、これら第一および第二の案内部８、９の最も奥側で前記吊りボルト１の周面１ａと当接させることで、吊りボルト１のほぼ径方向のほぼ半分を凹部に入れることができるようになっている（図５および図６参照）。
【００２０】
次に、以上の構成からなる第一の実施の形態に示すナット回転具３の、使用方法について説明する。第一の案内部８および第二の案内部９を、ボルトとしての吊りボルト１の周面１ａに当接させる。これにより、回転体７の羽根部７ｂ、７ｂの先端側は、前記吊りボルト１に螺合するナット２の外周面２ａに当接するように案内される。そして、回転駆動手段６のスイッチ操作部６ｂを正回転操作すると、ナット２の外周面２ａに当接するとともにモーター６ａによって、正回転（右回り）方向に回転させられる回転体７の羽根部７ｂ、７ｂの回転を受けて、前記ナット２が、左回り方向に回転する。そして、このナット２の回転により、ナット２は、このナット２が螺合する吊りボルト１に沿って上方に移動する。このとき、このナット回転具３の第一の案内部８および第二の案内部９を、吊りボルト１の周面１ａに当接させながら、ナット回転具３を、前記ナット２が前記吊りボルト１に沿って移動する方向、すなわち、上方に動かすことにより、前記ボルト１に沿って移動するナット２に、前記回転体７を追従させることができる。なお、ナット２を下方に移動させるには、回転駆動手段６のスイッチ操作部６ｂを逆回転操作するとよい。
【００２１】
この第一の実施の形態に示すナット回転具３によれば、ナット回転具３の第一の案内部８および第二の案内部９を、回転体７を挟む両側で、ボルトとしての吊りボルト１の周面１ａに当接させることにより、回転体７が前記吊りボルト１に螺合するナット２の外周面２ａに確実に当接するように案内されるので、前記ナット２を確実に回転させることができる。また、回転体７の、羽根部７ｂ、７ｂの先端側が、そのナット２の外周面２ａに当接するので、この回転体７は、ナット２の、吊りボルト１に沿う移動を妨げることがない。しかも、羽根部７ｂ、７ｂは、ナット２の外周面２ａに当接する先端側を含む全体が、弾性を有して湾曲可能となっているので、ナット２の外周面２ａに確実に当接し、そのナット２を確実に回転させることができる。また、前記羽根部７ｂ、７ｂは、先端側を含む全体が、前記回転体７の回転方向（図示実施の形態においては、正回転（右回り）方向）とは反対方向に傾斜するように延出しているので、羽根部７ｂ、７ｂの先端側がナット２の外周面２ａに当接する際の抵抗を小さくして、回転体７の回転に必要な力を小さくすることができる。
【００２２】
また、ナット回転具３の第一および第二の案内部８、９を、前記回転体７の両側で、前記吊りボルト１の周面１ａに当接させた状態で、そのナット回転具３を、前記ナット２が前記吊りボルト１に沿って移動する方向に動かすことができる。これにより、前記吊りボルト１に沿って移動するナット２に、そのナット２を回転させる回転体７を追従させて、前記ナット２を確実、かつ、容易に移動させることができる。また、第一および第二の案内部８、９が平面視半楕円状の凹部からなるので、吊りボルト１の周面１ａに当接することで、吊りボルト１を容易にその中央に案内することができるとともに、ナット回転具３のがたつきを抑えることができるので、回転体７をナット２から外れにくくすることができる。しかも、第一および第二の案内部８、９が凹部からなることにより、ナット回転具３の、移動させる際のがたつきを抑えることができるので、前記吊りボルト１に沿って移動するナット２に、回転体７を容易に追従させることができる。このように、案内部８、９は、ボルト１の周面１ａに当接してこのナット回転具３のがたつき（ボルト１の延びる方向に対して直交する横方向のがたつき）を抑えるとともに、ボルト１の周面１ａに当接した状態でこのナット回転具３をボルト１に沿って移動させた際のナット回転具３のがたつき（ボルト１の延びる方向に対して直交する横方向のがたつき）を抑えることができる凹部となっている。もっとも、回転体７の高さ寸法Ｈ１の範囲内であれば、ナット回転具３を、前記ナット２が前記吊りボルト１に沿って移動する方向に動かすことなく、ナット２を吊りボルト１に沿って移動させることができる。
【００２３】
なお、本発明に係るナット回転具３は、上述した実施の形態に限定されるわけではなく、その他種々の変更が可能である。例えば、第一の案内部８および第二の案内部９は、平面視半楕円状に窪む凹部からなる必要がなく、例えば、半円形状、四角形状あるいは長方形状その他の形状に窪む凹部であってもよい。また、第一の案内部８および第二の案内部９は、凹部以外の案内部、例えば、可撓性を有する板部に明けられた穴部であってもよい。この場合、板部に、外部と穴部とを連通させるスリットを設けて、そのスリットから吊りボルト１を穴部に通して、この穴部を吊りボルト１の周面１ａに当接させる。これにより、ナット回転具３が前記吊りボルト１から外れにくくなり、したがって、回転体７がナット２から外れにくくなる。
【００２４】
また、第一の案内部８および第二の案内部９は、回転体７を挟む両側に配備されなくとも、図７に示すように、本体４に設けられた第一の案内部８だけであってもよい。このように案内部が一つだけの場合、第一の案内部８を上下に長くすることで、この第一の案内部８だけでも、ナット回転具３のがたつきを抑え、かつ、ナット回転具３の、前記ナット２が前記吊りボルト１に沿って移動する方向に移動させる際のがたつきを抑えることができる。また、図７に示すように、吊りボルト１の下端部にナット２が螺合するような場合には、ナット回転具３の上下を反対にして使用することにより、ナット２を上方に移動させることができる。なお、ナット回転具３は、第二の案内部９だけを配備したものであってもよい。また、ナット回転具３に、第一の案内部８および第二の案内部９に加えて他の案内部を配備してもよい。
【００２５】
また、回転体７の羽根部７ｂは、ゴム製以外の、例えば、合成樹脂製で弾性を有しないものであってよい。また、その羽根部７ｂは、図示実施の形態においては、９枚であるが、必ずしも９枚である必要がない。また、羽根部７ｂは、前記回転体７の回転方向とは反対方向に傾斜するように外方に延出しているが、軸部７から外方に放射状に延出するものであってよい。また、羽根部７ｂは、図８に示すように、右上がりでねじ曲がるように、軸部７ａから外方に延出するものであってよい。これにより、回転体７を右回り方向に回転させることにより、羽根部７ａがナット２を上方に押し上げるように回転させるので、ナット２を吊りボルト１に沿って容易に移動させることができる。
【００２６】
また、回転体７は、軸部７ａと、羽根部７ｂとからなる回転体でなくとも、図９および図１０に示すように、吊りボルト１に螺合するナット２を回転させるようにそのナット２の外周面２ａに当接可能な帯状体からなる回転体であってもよく、また、図１１、図１２および図１３に示すように、吊りボルト１に螺合するナット２の下面２ｂ（または上面２ｃ）を回転させるようにそのナット２の下面２ｂ（または上面２ｃ）に当接可能な紐状体（図１１参照）あるいは円盤体（図１２および図１３参照）からなる回転体であってもよい。
【００２７】
また、回転駆動手段６のスイッチ操作部６ｂは、モーター６ａ、すなわち、回転体７の回転方向を正回転（右回り）操作または回転停止操作を行うためのスイッチ操作部６ｂであってよい。
【００２８】
また、ボルトは、吊りボルト１以外のボルト、例えば、アンカーボルトであってもよく、また、そのボルトに螺合するナット２は、六角ナット以外のナット、例えば、四角ナットその他のナットであってもよい。
【００２９】
【発明の効果】
請求項１に記載されたナット回転具によれば、ナット回転具の案内部を吊りボルトあるいはその他のボルトの、ねじが切られた軸の周面に当接させることにより、回転体が前記ボルトに螺合するナットに当接するように案内されるので、前記ナットを確実に回転させることができる。そして、前記ボルトに沿って移動するナットに、そのナットを回転させる回転体を容易に追従させて、前記ナットを確実に移動させることができる。
【００３０】
また、請求項２に記載されたナット回転具によれば、加えて、ナット回転具のがたつきを抑えることができるので、回転体を前記ナットから外れにくくすることができる。そして、ナット回転具の、前記ナットが前記ボルトに沿って移動する方向に移動させる際のがたつきを抑えることができるので、前記ボルトに沿って移動するナットに、回転体を容易に追従させることができる。
【００３１】
また、請求項３に記載されたナット回転具によれば、加えて、前記回転体を前記ナットに確実に当接させることができるので、前記ナットを確実に回転させることができる。そして、ナット回転具を、前記ナットが前記ボルトに沿って移動する方向に、容易に動かすことができるので、回転体を、前記ボルトに沿って移動するナットに、さらに容易に追従させることができる。
【００３２】
また、請求項４に記載されたナット回転具によれば、加えて、回転体が、ナットの、ボルトに沿う移動を妨げないので、前記ナットをボルトに沿って確実に移動させることができる。
【００３３】
また、請求項５に記載されたナット回転具によれば、加えて、羽根部がナットの外周面に確実に当接するので、前記ナットを確実に回転させることができる。
【００３４】
また、請求項６に記載されたナット回転具によれば、加えて、羽根部の先端側が外周面に当接する際の抵抗を小さくして、回転体の回転に必要な力を小さくすることができる。
【図面の簡単な説明】
【図１】  この発明に係る第一の実施の形態のナット回転具の案内部が、吊りボルトに当接した状態を示す正面図である。
【図２】  この発明に係るナット回転具の右側面図である。
【図３】  同じく、分解正面図である。
【図４】  ナット回転具が備える回転体の斜視図である。
【図５】  図１におけるＡ−Ａ矢視図である。
【図６】  図５における、一部を断面した状態を示す、一部断面平面図である。
【図７】  この発明に係るナット回転具の第二の実施の形態の、図１相当図である。
【図８】  この発明に係る第三の実施の形態のナット回転具が備える回転体の正面図である。
【図９】  この発明に係る第四の実施の形態のナット回転具が備える回転体がナットを回転させる状態を示す要部斜視図である。
【図１０】  この発明に係る第五の実施の形態のナット回転具が備える回転体の、図９相当図である。
【図１１】  この発明に係る第六の実施の形態のナット回転具が備える回転体の、図９相当図である。
【図１２】  この発明に係る第七の実施の形態のナット回転具が備える回転体の、図９相当図である。
【図１３】  この発明に係る第八の実施の形態のナット回転具が備える回転体の、図９相当図である。
【図１４】  従来のナット回転具を示す正面図である。
【符号の説明】
１    吊りボルト（ボルト）
１ａ  吊りボルトの周面（ボルトの周面）
２    ナット                      ２ａ  ナットの外周面
３    ナット回転具                ６    回転駆動手段
７    回転体                      ７ａ  軸部
７ｂ  羽根部                      ８    第一の案内部（案内部）
９    第二の案内部（案内部）
【図１】
0003660262.tif 000002
【図２】
0003660262.tif 000003
【図３】
0003660262.tif 000004
【図４】
0003660262.tif 000005
【図５】
0003660262.tif 000006
【図６】
0003660262.tif 000007
【図７】
0003660262.tif 000008
【図８】
0003660262.tif 000009
【図９】
0003660262.tif 000010
【図１０】
0003660262.tif 000011
【図１１】
0003660262.tif 000012
【図１２】
0003660262.tif 000013
【図１３】
0003660262.tif 000014
【図１４】
0003660262.tif 000015